(57)【特許請求の範囲】
【請求項１】
水洗便器の洗浄水タンクに洗浄水を供給する便器洗浄水供給装置であって、
外部の給水源に接続されて鉛直方向に延びる給水管と、
この給水管から供給される洗浄水の洗浄水タンク内への吐水及び止水を切替えて洗浄水を洗浄水タンク内に供給する給水バルブと、
洗浄水タンク内の洗浄水の水位の変動に伴って上下動することにより上記給水バルブの吐水及び止水を切替えるフロート部と、
上記給水管自体により構成され又は上記給水管に取り付けられ、上記フロート部の上下動をガイドするフロートガイド部と、
上記フロート部に固定されて上記フロート部と共に上下動する縦アームと、この縦アームに連結されて上記縦アームの上下動に伴って上記給水バルブの吐水及び止水を切り替える横アームと、を備えたアーム機構と、
上記フロート部の上下動が上記フロートガイド部によりガイドされる際に上記フロート部と上記フロートガイド部との間に摺動抵抗を付与する摺動抵抗付与手段と、を有し、
上記摺動抵抗付与手段は、上記アーム機構の縦アームが上記横アームに連結されたアーム連結部から上記フロート部に固定されたフロート固定部にかけて傾斜した状態で取り付けられ、上記フロート部の一部が上記フロートガイド部に付勢されることによって構成されていることを特徴とする便器洗浄水供給装置。
【請求項２】
上記摺動抵抗付与手段は、更に、上記フロート部に設けられた重りを備え、この重りにより上記フロート部の一部が上記フロートガイド部に付勢されることによって構成されている請求項１記載の便器洗浄水供給装置。
【請求項３】
上記摺動抵抗付与手段は、更に、上記フロート部に設けられ且つ上記フロート部の上下動が上記フロートガイド部によりガイドされる際に上記給水管から洗浄水タンク内へ供給される洗浄水が当てられる水当て部を備え、この水当て部に当たる洗浄水の水圧を利用して上記フロート部が上記フロートガイド部に付勢されることによって構成されている請求項１記載の便器洗浄水供給装置。
【請求項４】
上記摺動抵抗付与手段は、更に、上記フロートガイド部及び／又は上記フロート部に設けられ且つ上記フロート部を上記フロートガイド部に付勢するばねを備え、このばねの付勢力により上記フロート部が上記フロートガイド部に付勢されることによって構成されている請求項１記載の便器洗浄水供給装置。
【請求項５】
上記摺動抵抗付与手段は、更に、上記フロートガイド部のフロート部をガイドする部分及び／又は上記フロート部のフロートガイド部にガイドされる部分の表面に施された摺動抵抗を増すための加工面を備えている請求項１記載の便器洗浄水装置。
【請求項６】
上記フロートガイド部は、上記給水管の外面の一部に横方向から着脱自在に設けられている請求項１乃至５の何れか１項に記載の便器洗浄水供給装置。
【請求項７】
上記フロートガイド部のフロート部をガイドする部分及び／又は上記フロート部のフロートガイド部にガイドされる部分に、その上端から下端まで上下方向に延びる複数のリブが形成されている請求項６記載の便器洗浄水供給装置。
【発明の詳細な説明】
【技術分野】
【０００１】
本発明は、便器洗浄水供給装置に係り、特に、水洗便器の洗浄水タンクに洗浄水を供給する便器洗浄水供給装置に関する。
【背景技術】
【０００２】
従来から、水洗便器のボウル部にリム吐水口及びジェット吐水口を形成し、これらの吐水口から洗浄水を供給することにより、サイホン作用により汚物を排出する便器が知られている。このような水洗便器は、洗浄水が給水源（例えば、水道）から直接供給されるタイプと、水洗便器に設けられた洗浄水タンク内に貯水された洗浄水が供給されるタイプに分けられる。
【０００３】
この洗浄水タンクを備えた水洗便器の一例として、特許文献１には、外部の給水源（水道）から洗浄水タンク内に洗浄水を供給するために、洗浄水タンク内にパイロット式ダイヤフラム弁を有するボールタップ（給水バルブ）を設けた便器洗浄水供給装置が開示されている。
【０００４】
【特許文献１】特開２００６−２７４５４０号公報
【発明の開示】
【発明が解決しようとする課題】
【０００５】
この特許文献１の便器に用いられた便器洗浄水供給装置においては、外部の給水源（水道）に接続された給水管の上端にパイロット式ダイヤフラム弁を有するボールタップ（給水バルブ）が形成され、フロートがこの給水管を貫通し且つ上下動可能なように設けられている。
【０００６】
このような構造の便器洗浄水供給装置においては、フロートが洗浄水の水位の上昇に伴って上昇するときもガタツキが大きくスムーズに上昇できるものではなかった。また、フロートが上昇して、ダイヤフラム弁のパイロット穴が塞がれて吐水から止水に切り替わるとき、給水圧の水圧変動や洗浄水の水位の変動等により、パイロット穴を塞ぐ押下力（下向き）とフロート部の浮力（上向き）も変動し、これにより、ハンチング現象が起こり、フロートが揺れて振動と異音が発生していた。特に、給水源の水圧が高い場合には、このハンチング現象が発生し易く、問題となっていた。
【０００７】
そこで、本発明は、上述した従来技術の問題点を解決するためになされたものであり、給水バルブを吐水から止水に切り替える際に生じるハンチング現象の発生を防止することができる便器洗浄水供給装置を提供することを目的としている。
【課題を解決するための手段】
【０００８】
上記の目的を達成するために、本発明は、水洗便器の洗浄水タンクに洗浄水を供給する便器洗浄水供給装置であって、外部の給水源に接続されて鉛直方向に延びる給水管と、この給水管から供給される洗浄水の洗浄水タンク内への吐水及び止水を切替えて洗浄水を洗浄水タンク内に供給する給水バルブと、洗浄水タンク内の洗浄水の水位の変動に伴って上下動することにより上記給水バルブの吐水及び止水を切替えるフロート部と、上記給水管自体により構成され又は上記給水管に取り付けられ、上記フロート部の上下動をガイドするフロートガイド部と、上記フロート部に固定されて上記フロート部と共に上下動する縦アームと、この縦アームに連結されて上記縦アームの上下動に伴って上記給水バルブの吐水及び止水を切り替える横アームと、を備えたアーム機構と、上記フロート部の上下動が上記フロートガイド部によりガイドされる際に上記フロート部と上記フロートガイド部との間に摺動抵抗を付与する摺動抵抗付与手段と、を有し、上記摺動抵抗付与手段は、上記アーム機構の縦アームが上記横アームに連結されたアーム連結部から上記フロート部に固定されたフロート固定部にかけて傾斜した状態で取り付けられ、上記フロート部の一部が上記フロートガイド部に付勢されることによって構成されていることを特徴としている。
このように構成された本発明においては、摺動抵抗付与手段がフロート部の上下動がフロートガイド部によりガイドされる際にフロート部とフロートガイド部との間に摺動抵抗を付与するため、給水バルブが給水管から供給される洗浄水の洗浄水タンク内への吐水から止水に切り替わる際に洗浄水タンク内の水面が上下動していたとしても、その水面の上下動に応じてフロート部が過敏に上下動することを防ぐことができ、フロート部のハンチング現象の発生を抑制することができる。さらに、フロート部の上下動がフロートガイド部によりガイドされる際にフロート部とフロートガイド部との間に摺動抵抗が付与されるため、給水バルブが給水管から供給される洗浄水の洗浄水タンク内への吐水から止水に切り替わる際に洗浄水タンク内の水面が上下動していたとしても、その水面の上下動に応じてフロート部が過敏に上下動することを簡易な構成によって防ぐことができ、フロート部のハンチング現象の発生を抑制することができる。
【００１０】
本発明において、好ましくは、摺動抵抗付与手段は、更に、フロート部に設けられた重りを備え、この重りによりフロート部の一部がフロートガイド部に付勢されることによって構成されてもよい。
このように構成された本発明においては、フロート部に重りを設けたことにより、フロート部の一部がフロートガイド部に付勢された状態でフロート部の上下動をフロートガイド部によりガイドすることができるため、給水バルブが給水管から供給される洗浄水の洗浄水タンク内への吐水から止水に切り替わる際に洗浄水タンク内の水面が上下動していたとしても、その水面の上下動に応じてフロート部が過敏に上下動することを簡易な構成によって防ぐことができ、フロート部のハンチング現象の発生を抑制することができる。
【００１１】
本発明において、好ましくは、摺動抵抗付与手段は、更に、フロート部に設けられ且つフロート部の上下動がフロートガイド部によりガイドされる際に上記給水管から洗浄水タンク内へ供給される洗浄水が当てられる水当て部を備え、この水当て部に当たる洗浄水の水圧を利用して上記フロート部が上記フロートガイド部に付勢されることによって構成されてもよい。
このように構成された本発明においては、フロート部に設けられた水当て部に当たる洗浄水の水圧を利用することにより、フロート部がフロートガイド部に付勢された状態でフロート部の上下動をフロートガイド部によりガイドすることができるため、給水バルブが給水管から供給される洗浄水の洗浄水タンク内への吐水から止水に切り替わる際に洗浄水タンク内の水面が上下動していたとしても、その水面の上下動に応じてフロート部が過敏に上下動することを簡易な構成によって防ぐことができ、フロート部のハンチング現象の発生を抑制することができる。
【００１２】
本発明において、好ましくは、摺動抵抗付与手段は、更に、フロートガイド部及び／又はフロート部に設けられ且つフロート部をフロートガイド部に付勢するばねを備え、このばねの付勢力によりフロート部がフロートガイド部に付勢されることによって構成されてもよい。
このように構成された本発明においては、フロートガイド部及び／又はフロート部に設けられたばねにより、フロート部がフロートガイド部に付勢された状態でフロート部の上下動をフロートガイド部によりガイドすることができるため、給水バルブが給水管から供給される洗浄水の洗浄水タンク内への吐水から止水に切り替わる際に洗浄水タンク内の水面が上下動していたとしても、その水面の上下動に応じてフロート部が過敏に上下動することを簡易な構成によって防ぐことができ、フロート部のハンチング現象の発生を抑制することができる。
【００１３】
本発明において、好ましくは、摺動抵抗付与手段は、更に、上記フロートガイド部のフロート部をガイドする部分及び／又は上記フロート部のフロートガイド部にガイドされる部分の表面に施された摺動抵抗を増すための加工面を備えていてもよい。
このように構成された本発明においては、フロートガイド部のフロート部をガイドする部分及び／又はフロート部のフロートガイド部にガイドされる部分の表面に施された摺動抵抗を増すための加工面によりフロート部とフロートガイド部との間に摺動抵抗が適当に生ずるため、給水バルブが給水管から供給される洗浄水の洗浄水タンク内への吐水から止水に切り替わる際に洗浄水タンク内の水面が上下動していたとしても、その水面の上下動に応じてフロート部が過敏に上下動することを防ぐことができ、フロート部のハンチング現象の発生を抑制することができる。
なお、摺動抵抗を増すための加工面としては、フロート部が上下する際にフロートが上下方向以外へ大きく変位することがないように、微細な凹凸による粗面によって形成されているものであり、具体的な方法としてはシボ加工を施した面が挙げられる。
【００１４】
本発明において、好ましくは、フロートガイド部は、上記給水管の外面の一部に横方向から着脱自在に設けられていてもよい。
このように構成された本発明においては、フロートガイド部を給水管の外面の一部に横方向から着脱自在に設け、このフロートガイド部により、フロート部の上下動をガイドするようにしたので、フロート部とフロートガイド部とが接触する面を上下動するフロート部に近づけることができ、これらの接触面の寸法管理がしやすく、フロート部とフロートガイド部との間の摺動抵抗を所望に設定することができる。このため、ハンチング防ぐことができると共にフローと部の上下動をスムーズにガイドすることができる。また、横方向から着脱出来るため装置の組立作業が簡易となる。
【００１５】
本発明において、好ましくは、フロートガイド部のフロート部をガイドする部分及び／又はフロート部のフロートガイド部にガイドされる部分に、その上端から下端まで上下方向に延びる複数のリブが形成されていてもよい。
このように構成された本発明においては、複数のリブを設けて、フロート部の上下動をフロートガイド部によりその複数のリブに当接させてガイドするようにしたので、両者間の摺動抵抗の調整が金型修正によって容易にできるため、摺動抵抗を所望に設定することができる。また、フロート部のハンチング現象を抑えることができ、フロート部のスムーズな上下動を実現することができる。
【発明の効果】
【００１６】
本発明の便器洗浄水供給装置によれば、給水バルブを吐水から止水に切り替える際に生じるハンチング現象の発生を防止することができる。
【発明を実施するための最良の形態】
【００１７】
以下、添付図面により、本発明の第１実施形態による便器洗浄水供給装置を説明する。
まず、図１により、本発明の便器洗浄水供給装置が適用される便器の一例を説明する。図１は本発明の便器洗浄水供給装置が適用される水洗便器の断面図である。図１に示すように、符号１は水洗便器を示し、この水洗便器１の上部の前方側には、ボウル部２が形成され、後方側の上部には導水路４が、導水路４の下方にはボウル部２と連通する排水トラップ管路６が、それぞれ形成されている。
【００１８】
水洗便器１のボウル部２の上縁部にはオーバーハング形状のリム８が形成され、このリム８に導水路４から洗浄水が供給される１つ又は２つのリム吐水口１０が形成され、洗浄水が旋回しながら下降してボウル部２を洗浄できるようになっている。また、ボウル部２の中心下部には、導水路４から洗浄水が供給されるジェット吐水口１２が形成され、このジェット吐水口１２から洗浄水が排水トラップ管路６に向けて吐水され、サイホンを短時間で発生されるようになっている。
【００１９】
水洗便器１の導水路４の上方には、洗浄水を貯水する洗浄水タンク１４が設けられている。この洗浄水タンク１４の底面１４ａには、水洗便器１の導水路４と連通する連通口１４ｂが形成されている。この洗浄水タンク１４の内部には、後述するように、本発明の便器洗浄水供給装置を含む種々の機器が設けられている。
【００２０】
つぎに、図２及び図３により、洗浄水タンク１４内に設けられた種々の機器について説明する。図２は洗浄水タンクの内部を示す断面斜視図であり、図３は洗浄水タンクの内部を示す正面図である。
図２及び図３に示すように、洗浄水タンク１４内には、排水弁１６、オーバーフロー管１８、給水管２２、給水バルブ２４、及び、フロート３２が設けられている。
【００２１】
具体的には、排水弁１６は、洗浄水タンク１４の底面１４ａの連通口１４ｂの部分に設けられ、弁座１６ａ、弁体１６ｂ、弁体１６ｂに接続された鎖１６ｃを備え、鎖１６ｃに接続された操作レバー（図示せず）を操作することにより、弁体１６ｂが上下動し、開閉操作が行われるようになっている。
【００２２】
この排水弁１６は、閉操作により洗浄水を洗浄水タンク１４内に貯水し、開操作により、洗浄水タンク１４内の洗浄水を水洗便器１の導水路４を経由して、リム吐水口１０及びジェット吐水口１２に導くようになっている。
【００２３】
また、オーバーフロー管１８は、その上端に開口１８ａが形成されその下端が排水弁１６の弁座１６ａに連通するように設けられている。このオーバーフロー管１８により、洗浄水の水位が万一上昇しても、開口１８ａから、洗浄水がオーバーフローし、排水弁１６の弁座１６ａを経由して、さらに、水洗便器１の導水路４を経て、リム吐水口１０とジェット吐水口１２から、ボウル部２内に排出されるようになっている。
【００２４】
更に、洗浄水タンク１４内には、本発明の第１実施形態による便器洗浄水供給装置２０が設けられている。
【００２５】
つぎに、図４乃至図９により、本発明の第１実施形態による便器洗浄水供給装置を説明する。この便器洗浄水供給装置２０は、給水管２２、給水バルブ２４、アーム機構２６、フロートガイド３０、及び、フロート３２を備えている。
【００２６】
まず、図５及び図６に示すように、給水管２２は、洗浄水タンク１４の底面１４ａに取り付けられ、外部の水道等の給水源（図示せず）に接続され、洗浄水を洗浄水タンク１４内に供給するようになっている。この給水管２２は、中心部に給水路（１次側）２２ａが形成され、その外側部に排水路（２次側）２２ｂが形成され、この排水路２２ｂの下端部に形成された排水口２２ｃから、洗浄水が洗浄水タンク１４内に排出されるようになっている。
【００２７】
つぎに、図６及び図９に示すように、給水管２２の先端部には、給水路２２ａと排水路（２次側）２２ｂとの間に介在するように、ダイアフラム式の給水バルブ２４が設けられている。この給水バルブ２４は、中心軸２４ａを持つバルブハウジング２４ｂと、このハブルハウジング２４ｂの中心軸２４ａに取り付けられこの中心軸２４ａに沿って上下移動可能なダイアフラム２４ｃとを備えている。このダイアフラム２４ｃと中心軸２４ａとの間には、パイロット穴２４ｄが形成され、このパイロット穴２４ｄにより、給水管２２の給水路（１次側）２２ａとダイアフラム２４ｃの背面側（上側）にある背圧室２４ｅとが連通されている。この背圧室２４ｅの上部には、背圧抜き穴２４ｆが形成されている。
【００２８】
また、アーム機構２６は、横アーム２８と縦アーム３６を備えている。横アーム２８は、給水バルブ２４のバルブハウジング２４ｂの上面に取り付けられており、支点２８ａを中心に揺動運動ができるようになっている。横アーム２８の左端部には、背圧抜き穴２４ｆを開閉するトップシール２８ｂが取り付けられている。一方、横アーム２８の右端部には、後述するフロート３２に固定されてフロート３２と共に上下動する縦アーム３６の上端部３６ａがヒンジ２８ｃによって連結されており、縦アーム３６の上下動に伴って横アーム２８が支点２８ａを中心に揺動してトップシール２８ｂが背圧抜き穴２４ｆを開閉して給水バルブ２４の吐水及び止水を切り替えるようになっている。
【００２９】
さらに、縦アーム３６は、フロート３２の一部がフロートガイド３０に付勢されて片当りした状態でフロート３２の上下動がフロートガイド３０によりガイドされるように、横アーム２８に連結されたアーム連結部２６ａからフロート３２に固定されたフロート固定部３６ｂにかけて傾斜した状態で取り付けられている。このフロート固定部３６ｂには、ねじ山が形成されており、これらのねじ山の一部が、これらと対応するフロート３２の縦アーム固定部３２ａに形成されたねじ孔と螺合することによって、縦アーム３６がフロート３２の縦アーム固定部３２ａに固定されている。
【００３０】
つぎに、図７に示すように、フロートガイド３０は、ほぼ円筒形状の取付部３０ａとフロート摺動板３０ｂを備えている。この取付部３０ａには、給水管２２の外面に形成された複数（３個以上）の突起２２ｄと係合する複数（２個以上）の穴３０ｃが形成されている。これらの突起２２ｄと穴３０ｃが係合することにより、フロートガイド３０は、給水管２２の外面に横方向から着脱自在に取付け（嵌合）できるようになっている。なお、給水管２２の複数の突起２２ｄは上下方向に多数形成されており、フロートガイド２８を所望の位置に位置決めし易いようになっている。
【００３１】
このように、本実施形態では、フロートガイド３０が給水管２２から横方向に容易に着脱できるようになっているため、フロート３２の上下方向位置を調整するとき、従来のように、給水管と給水バルブを洗浄水タンクから取り外す必要がなく、フロート３２の上下方向位置を容易に調整することができる。
【００３２】
つぎに、図６、図８及び図９に示すように、フロート３２は、上述した縦アーム３６が固定される縦アーム固定部３２ａと、内部に形成された空間である浮力発生部３２ｂと、フロート３２が上下方向にガイドされるように上述したフロートガイド３０のフロート摺動板３０ｂを収容する上下方向に延びる凹部３２ｃとから構成されている。また、縦アーム固定部３２ａは、縦アーム３６のフロート固定部３６ｂに形成されたねじ山と螺合されているため、縦アーム３６を螺合回転させることにより、容易に、横アーム２８とフロート３２との距離（すなわちフロート３２の上下方向位置）を調整することができるようになっている。
【００３３】
特に、フロートガイド３０に対するフロート３２の左右方向の相対位置について具体的に説明すると、図９に示すように、縦アーム３６がアーム連結部２６ａからフロート固定部３６ｂにかけて傾斜した状態でフロート３２の縦アーム固定部３２ａに取り付けられているため、給水バルブ２４の吐水から止水に切り替わる際に、横アーム２８が支点２８ａを中心に揺動することにより、フロート３２及び縦アーム３６が傾いた状態でフロートガイド３０の摺動板３０ｂによってガイドされて右上方へ移動する。この移動前後では、フロート３２の凹部３２ｃの一部がフロートガイド３０の摺動板３０ｂの給水管２２側の接触面３０ｄに対して片当りした状態で付勢されており、フロート３２の凹部３２ｃと摺動板３０ｂの接触面３０ｄに摺動抵抗が生じている。それゆえ、これらのフロート３２の凹部３２ｃとフロート摺動板３０ｂとの間に生じている摺動抵抗が、ガタツキを抑えてフロート３２の上下動をスムーズにガイドすることができる。
【００３４】
さらに、フロート３２の凹部３２ｃには、図８に示すように、その上端から下端まで上下方向に延びる複数本（５本）の縦リブ３２ｄが形成されており、フロート３２が、フロートガイド部３０のフロート摺動板３０ｂにガイドされて上下動するとき、これらの少なくともいずれかの縦リブ３２ｄに当接してスムーズに上下動できるようになっている。この結果、ガタツキ発生を防止するための金型修正が容易にでき、また、フロート３２の凹部３２ｃとフロート摺動板３０ｂとの間に適度な摺動抵抗を得ることができる。さらに、ガタツキを小さくすることで、ハンチングの発生を抑えることもできる。なお、この縦リブ３２ｄは、フロートガイド３０のフロート摺動板３０ｂの方に形成しても良いし、フロート３２の凹部３２ｃ及びフロート摺動板３０ｂの両方に形成するようにしても良い。
【００３５】
つぎに、図９及び図１０等により、本発明の実施形態による便器洗浄水供給装置の動作（作用）を説明する。
まず、洗浄水タンク１４内に洗浄水が十分に貯水されている場合には、洗浄水の水位は満水の水位Ａ（図３参照）となっている。このとき、給水バルブ２４等は、以下の状態となっている。
すなわち、図９に示すように、フロート３２は、上方位置まで上昇しており、その浮力により、縦アーム３６を介して、横アーム２８の右側端（アーム連結部２６ａ）を上方に押し上げ、それにより、横アーム２８は、支点２８ａを中心にして反時計回り方向に付勢され、横アーム２８の左側端が下方に押し下げられた状態となる。この結果、横アーム２８のトップシール２８ｂが給水バルブ２４の背圧抜き穴２４ｆを閉じる。このとき、パイロット穴２４ｄにより、背圧室２４ｅと給水管２２の給水路（１次側）２２ａとが連通されているので、背圧室２４ｅと給水路（１次側）２２ａの圧力が等しくなり、その結果、ダイアフラム２４ｃを押す面積比（背圧室側面積＞１次側面積）により、ダイアフラム２４ｃは下方に移動し、閉弁した状態となっている。
【００３６】
特に、ダイアフラム２４ｃが開弁した状態から閉弁した状態に切り替わる前後では、フロート３２の凹部３２ｃの一部がフロートガイド３０の摺動板３０ｂの給水管２２側の接触面３０ｄに対して片当りした状態で付勢されているため、フロート３２の凹部３２ｃと摺動板３０ｂの接触面３０ｄに摺動抵抗が生じている。それゆえ、フロート３２の上下動に伴うガタツキが完全に抑えられ、水面の上下動に応じてフロート３２が過敏に上下動することが全くなく、フロート３２のハンチング現象の発生が抑制されている。
【００３７】
つぎに、水洗便器１の使用後には、便器使用者が操作レバー（図示せず）を操作して、排水弁１６が開き、洗浄水タンク１４内に貯水された洗浄水を水洗便器１へ流して水洗便器１を洗浄する。最後には、洗浄水タンク１４内に洗浄水の水位は空状態である水位Ｂ（図３参照）となる。
【００３８】
その後、排水弁１６が閉じられ、この洗浄タンク１４の空状態（水位Ｂの状態）から、洗浄水タンク１４内に外部の給水源（水道）から洗浄水が供給される。このとき、給水バルブ２４等は、以下の状態となっている。
すなわち、図１０に示すように、フロート３２は下方位置まで下降し、洗浄水から露出し、縦アーム３６により横アーム２８の右側端（アーム連結部２６ａ）に空中からぶら下がった状態となっている。このとき、横アーム２８は、フロート３２の重量により、支点２８ａを中心にして時計回り方向に付勢され、横アーム２８の左側端が上方に押し上げられる。このとき、横アーム２８のトップシール２８ｂが給水バルブ２４の背圧抜き穴２４ｆを開放し、背圧室２４ｅは大気開放となる。その結果、ダイアフラム２４ｃは、給水路（１次側）２２ａの圧力（水道圧）により押されて上方に移動し、開弁状態となる。
【００３９】
給水バルブ２４が開弁状態となれば、外部の給水源（水道）から洗浄水が給水管２２の給水路（１次側）に供給され、さらに、排水路２２ｂを経て、排水口２２ｃから、洗浄水タンク１４内に排出される。これにより、洗浄水タンク１４内の水位が次第に上昇する。
【００４０】
この後、洗浄水タンク１４内の水位が図３に示す満水の水位Ａまで上昇すると、上述したように、給水バルブ２４は閉じられ、洗浄水タンク１４内への洗浄水の供給は停止される。
【００４１】
上述した本発明の第１実施形態による便器洗浄水供給装置２０によれば、アーム機構２６の縦アーム３６が、アーム連結部２６ａからフロート固定部３６ｂにかけて傾斜した状態でフロート３２の縦アーム固定部３２ａに取り付けられているため、給水バルブ２４のダイアフラム２４ｃが開弁した状態から閉弁した状態に切り替わる前後で、フロート３２の凹部３２ｃの一部がフロートガイド３０の摺動板３０ｂの給水管２２側の接触面３０ｄに対して片当りした状態で付勢することができ、フロート３２の凹部３２ｃと摺動板３０ｂの接触面３０ｄに摺動抵抗を生じさせることができる。この結果、フロート３２の上下動に伴うガタツキが完全に抑えられ、水面の上下動に応じてフロート３２が過敏に上下動することが全くなく、フロート３２のハンチング現象の発生を完全に抑制することができる。
また、本実施形態の便器洗浄水供給装置２０によれば、フロートガイド３０を給水管２２の外面の一部に横方向から着脱自在に設け、このフロートガイド３０により、フロート３２の上下動をガイドするようにしたので、フロート３２とフロートガイド３０とが接触する接触面３０ｄを上下動するフロート３２の凹部３２ｃに近づけることができ、これらの接触面の寸法管理がしやすく、フロート３２とフロートガイド３０との間の摺動抵抗を所望に設定することができる。このため、ハンチング防ぐことができると共にフロート３２の上下動をスムーズにガイドすることができる。また、横方向から着脱出来るため装置の組立作業が簡易となる。
さらに、本実施形態の便器洗浄水供給装置２０によれば、フロート３２の凹部３２ｃには、その上端から下端まで上下方向に延びる複数本の縦リブ３２ｄを設けて、フロート３２の上下動をフロートガイド３０によりその複数の縦リブ３２ｄに当接させてガイドするようにしたので、両者間の摺動抵抗の調整が金型修正によって容易にでき、摺動抵抗を所望に設定することができる。また、フロート部のハンチング現象を抑えることができ、フロート部のスムーズな上下動を実現することができる。
【００４２】
つぎに、本発明の第２実施形態による便器洗浄水供給装置について説明する。
図１１は、本発明の第２実施形態による便器洗浄水供給装置を示す概略図である。ここで、図１１において図１〜図１０に示す第１実施形態の部分と同一の部分については同一の符号を付し、これらの説明は省略する。
図１１に示すように、本実施形態の便器洗浄水供給装置４０においては、フロート４２の凹部４２ａの一部がフロートガイド３０の摺動板３０ｂの給水管２２側の接触面３０ｄに対して片当りした状態になるように付勢してフロート４２とフロートガイド３０との間に摺動抵抗を付与する摺動抵抗付与手段として、フロート４２の一部に重り４４が設けられている。
本実施形態の便器洗浄水供給装置４０によれば、フロート４２の一部に設けられた重り４４により、フロート４２の重心位置が変化し、図１１中の矢印に示す方向の回転モーメントが生じてフロート４２が傾く。そして、フロート４２の凹部４２ａの一部がフロートガイド３０の摺動板３０ｂの給水管２２側の接触面３０ｄに対して片当りした状態で付勢されることによって、フロート４２の凹部４２ａと摺動板３０ｂの接触面３０ｄに適度な摺動抵抗を生じさせることができる。この結果、給水バルブ２４が開弁した状態から閉弁した状態に切り替わる前後で、フロート４２の上下動に伴うガタツキが完全に抑えられ、水面の上下動に応じてフロート４２が過敏に上下動することが全くなく、フロート４２のハンチング現象の発生を完全に抑制することができる。
【００４３】
つぎに、本発明の第３実施形態による便器洗浄水供給装置について説明する。
図１２は、本発明の第３実施形態による便器洗浄水供給装置を示す概略図である。ここで、図１２において図１〜図１０に示す第１実施形態の部分と同一の部分については同一の符号を付し、これらの説明は省略する。
図１２に示すように、本実施形態の便器洗浄水供給装置５０は、給水管２２から分岐した分岐管５２を備えている。また、フロート５４の凹部５４ａの一部がフロートガイド３０の摺動板３０ｂの給水管２２側の接触面３０ｄに対して片当りした状態になるように付勢してフロート５４とフロートガイド３０との間に摺動抵抗を付与する摺動抵抗付与手段として、フロート５２の一部には分岐管５２から洗浄水タンク１４内へ供給される洗浄水Ｗが当てられる水当て板５６が設けられている。
本実施形態の便器洗浄水供給装置５０によれば、フロート５４の水当て板５６に当てられる分岐管５２からの洗浄水Ｗの水圧を利用することによってフロート５４が傾き、フロート５４の凹部５４ａの一部がフロートガイド３０の摺動板３０ｂの給水管２２側の接触面３０ｄに対して片当りした状態で付勢される。この結果、給水バルブ２４が開弁した状態から閉弁した状態に切り替わる前後で、フロート５４の凹部５４ａと摺動板３０ｂの接触面３０ｄに適度な摺動抵抗が生じているため、フロート５４の上下動に伴うガタツキが完全に抑えられ、水面の上下動に応じてフロート５４が過敏に上下動することが全くなく、フロート５４のハンチング現象の発生を完全に抑制することができる。
【００４４】
つぎに、本発明の第４実施形態による便器洗浄水供給装置について説明する。
図１３は、本発明の第４実施形態による便器洗浄水供給装置を示す概略図である。ここで、図１３において図１〜図１０に示す第１実施形態の部分と同一の部分については同一の符号を付し、これらの説明は省略する。
図１３に示すように、本実施形態の便器洗浄水供給装置６０においては、給水管２２から分岐した分岐管６２がフロートガイド３０に設けられている。また、フロート６４の凹部６４ａの一部がフロートガイド３０の摺動板３０ｂの接触面３０ｄに付勢してフロート６４とフロートガイド３０との間に摺動抵抗を付与する摺動抵抗付与手段として、フロートガイド３０を上下動するフロート６４の凹部６４ａが分岐管６２からの洗浄水Ｗが直接当てられる水当て部となっている。
本実施形態の便器洗浄水供給装置６０によれば、フロート６４の凹部６４ａに当てられる分岐管６２からの洗浄水Ｗの水圧により、フロート６４がフロートガイド３０の摺動板３０ｂに付勢され、フロート６４の凹部６４ａにおけるフロートガイド３０の摺動板３０ｂの接触面３０ｄと対向する面６４ｂが全体にわたって接触する。この結果、給水バルブ２４が開弁した状態から閉弁した状態に切り替わる前後で、フロート６４の凹部６４ａの一部の面６４ｂと摺動板３０ｂの接触面３０ｄに適度な摺動抵抗が生じているため、フロート６４の上下動に伴うガタツキが完全に抑えられ、水面の上下動に応じてフロート６４が過敏に上下動することが全くなく、フロート６４のハンチング現象の発生を完全に抑制することができる。
【００４５】
つぎに、本発明の第５実施形態による便器洗浄水供給装置について説明する。
図１４は、本発明の第５実施形態による便器洗浄水供給装置を示す概略図である。ここで、図１４において図１〜図１０に示す第１実施形態の部分と同一の部分については同一の符号を付し、これらの説明は省略する。
図１４に示すように、本実施形態の便器洗浄水供給装置７０においては、フロート７２とフロートガイド３０との間に摺動抵抗を付与する摺動抵抗付与手段として、フロートガイド３０の摺動板３０ｂに付勢板７４が設けられている。この付勢板７４と摺動板３０ｂとの間には、ばね７６が設けられており、このばね７６の付勢力により、摺動板３０ｂの接触面３０ｄとそのフロート７２の凹部７２ａの対向する面７２ｂとが常に接触する共に、付勢板７４の接触面７４ａとそのフロート７２の凹部７２ａの対向する面７２ｃとが常に接触するようになっている。
本実施形態の便器洗浄水供給装置７０によれば、フロートガイド３０の摺動板３０ｂにに設けられた付勢板７４とばね７６により、フロート７２の上下動がフロートガイド３０によりガイドされる際にフロート７２がフロートガイド３０に対して常に摺動抵抗が生ずるように付勢されているため、給水バルブ２４が開弁した状態から閉弁した状態に切り替わる前後で、フロート７２の上下動に伴うガタツキを完全に抑えることができる。また、水面の上下動に応じてフロート７２が過敏に上下動することが全くなく、フロート７２のハンチング現象の発生を完全に抑制することができる。
なお、本実施形態では、フロート７２とフロートガイド３０との間に摺動抵抗を付与する摺動抵抗付与手段として、一例として、フロートガイド３０の摺動板３０ｂに付勢板７４とばね７６を設けた形態について説明したが、このような形態に限定されず、付勢板７４とばね７６に相当する摺動抵抗付与手段をフロート７２側に設けてもよい。
要するに、付勢板７４とばね７６に相当する摺動抵抗付与手段については、フロートガイド３０側及び／又はフロート７２側に設けることができる。
【００４６】
つぎに、本発明の第６実施形態による便器洗浄水供給装置について説明する。
図１５は、本発明の第６実施形態による便器洗浄水供給装置を示す概略図である。ここで、図１５において図１〜図１０に示す第１実施形態の部分と同一の部分については同一の符号を付し、これらの説明は省略する。
図１５に示すように、本実施形態の便器洗浄水供給装置８０においては、フロートガイド３０の摺動板３０ｂの接触面８２にシボ加工が施されており、このシボ加工が施された接触面（シボ加工面）８２とそのフロート８４の凹部８４ａの対向する接触面８４ｂとの間で摺動抵抗が増すようになっている。
本実施形態の便器洗浄水供給装置８０によれば、フロートガイド３０の摺動板３０ｂの接触面８２にシボ加工を施すことにより、シボ加工を施していない場合と比べてフロート８４の上下動がフロートガイド３０によりガイドされる際にフロート８４がフロートガイド３０に対して摺動抵抗が増している状態となっているため、給水バルブ２４が開弁した状態から閉弁した状態に切り替わる前後で、フロート８４の上下動に伴うガタツキを完全に抑えることができる。また、水面の上下動に応じてフロート８４が過敏に上下動することが全くなく、フロート８４のハンチング現象の発生を完全に抑制することができる。
なお、本実施形態では、一例として、フロートガイド３０の摺動板３０ｂの接触面８２にシボ加工が施された形態について説明したが、このような形態に限定されず、フロート８４の凹部８４ａの接触面８４ｂにもシボ加工を施してもよい。なお、シボ加工は成型後に表面改質する場合が多いが、それに限らず、成型時の金型に微細な凹凸パターンを形成しておき、それによって、微細な凹凸による粗面を形成するようにしてもよい。
要するに、フロートガイド３０の接触面８２及び／又はフロート８４の接触面８４ｂにフロート部が上下する際にフロートが上下方向以外へ大きく変位することがない程度の微細な凹凸による粗面を形成しておき、その粗面の微小凸部の変形により摺動抵抗が付加されるものとすることができる。
【００４７】
つぎに、本発明の第７実施形態による便器洗浄水供給装置について説明する。
図１６は、本発明の第７実施形態による便器洗浄水供給装置を示す概略図である。ここで、図１６において図１〜図１０に示す第１実施形態の部分と同一の部分については同一の符号を付し、これらの説明は省略する。
図１６に示すように、本実施形態の便器洗浄水供給装置９０においては、フロート９２がこの給水管２２を貫通し且つ上下動可能なように設けられている。また、縦アーム３６は、第１実施形態と同様に、横アーム２８に連結されたアーム連結部２６ａからフロート９２の縦アーム固定部９２ｂにかけて傾斜した状態で取り付けられており、フロート９２の開口部９２ａの一部が給水管２２の外面９４に付勢されて片当りした状態でフロート９２の上下動がガイドされるようになっている。
本実施形態の便器洗浄水供給装置９０によれば、給水バルブ２４が開弁した状態から閉弁した状態に切り替わる前後で、フロート９２の開口部９２ａの一部を給水管２２の外面９４に付勢して片当りさせることにより摺動抵抗を生じさせることができる。この結果、フロート９２の上下動に伴うガタツキが完全に抑えられ、水面の上下動に応じてフロート９２が過敏に上下動することが全くなく、フロート３２のハンチング現象の発生を完全に抑制することができる。
【図面の簡単な説明】
【００４８】
【図１】本発明の第１実施形態による便器洗浄水供給装置が適用される水洗便器の断面図である。
【図２】本発明の第１実施形態による便器洗浄水供給装置を含む洗浄水タンクの内部を示す断面斜視図である。
【図３】本発明の便器洗浄水供給装置を含む洗浄水タンクの内部を示す正面図である。
【図４】本発明の第１実施形態による便器洗浄水供給装置を示す平面図である。
【図５】本発明の第１実施形態による便器洗浄水供給装置を示す正面図である。
【図６】図４のＶＩ−ＶＩ線に沿って見た断面図である。
【図７】本発明の第１実施形態による便器洗浄水供給装置のフロートガイドを示す斜視図である。
【図８】本発明の第１実施形態による便器洗浄水供給装置の蓋部を外した状態のフロートを示す平面図である。
【図９】本発明の第１実施形態による便器洗浄水供給装置の給水バルブの閉弁状態（止水状態）を示す部分断面図である。
【図１０】本発明の第１実施形態による便器洗浄水供給装置の給水バルブの開弁状態（給水状態）を示す部分断面図である。
【図１１】本発明の第２実施形態による便器洗浄水供給装置を示す概略図である。
【図１２】本発明の第３実施形態による便器洗浄水供給装置を示す概略図である。
【図１３】本発明の第４実施形態による便器洗浄水供給装置を示す概略図である。
【図１４】本発明の第５実施形態による便器洗浄水供給装置を示す概略図である。
【図１５】本発明の第６実施形態による便器洗浄水供給装置を示す概略図である。
【図１６】本発明の第７実施形態による便器洗浄水供給装置を示す概略図である。
【符号の説明】
【００４９】
１  水洗便器
２０，４０，５０，６０，７０，８０，９０  便器洗浄水供給装置
２２  給水管
２２ａ  給水路
２２ｂ  排水路
２２ｃ  排水口
２２ｄ  突起
２４  給水バルブ
２４ｃ  ダイアフラム
２４ｄ  パイロット穴
２４ｅ  背圧室
２４ｆ  背圧抜き穴
２６  アーム機構
２６ａ  アーム連結部
２８  横アーム
２８ａ  支点
２８ｂ  トップシール
２８ｃ  ヒンジ
３０  フロートガイド
３０ａ  取付部
３０ｂ  フロート摺動板
３０ｃ  穴
３０ｄ  接触面
３２，４２，５４，６４，７２，８４，９２  フロート
３２ａ  縦アーム固定部
３２ｂ  浮力発生部
３２ｃ  凹部
３２ｄ  縦リブ
３６  縦アーム
３６ａ  縦アームの上端部
３６ｂ  縦アームのフロート固定部
【図１】
0005234492.tif 000002
【図２】
0005234492.tif 000003
【図３】
0005234492.tif 000004
【図４】
0005234492.tif 000005
【図５】
0005234492.tif 000006
【図６】
0005234492.tif 000007
【図７】
0005234492.tif 000008
【図８】
0005234492.tif 000009
【図９】
0005234492.tif 000010
【図１０】
0005234492.tif 000011
【図１１】
0005234492.tif 000012
【図１２】
0005234492.tif 000013
【図１３】
0005234492.tif 000014
【図１４】
0005234492.tif 000015
【図１５】
0005234492.tif 000016
【図１６】
0005234492.tif 000017